(57)【要約】【課題】表示ユニットを高い強度及び精度で保持すると共に、省スペース化を図る。【解決手段】ホルダユニット１７を、メインホルダ２０とサブホルダ２１とで構成し、サブホルダ２１には、互いに垂直な第１の壁部２９、第２の壁部３０を設け、第２の壁部３０に連接する主面対向部３１に係合部２５を形成する。Ｚ方向において、係合部２５は表示ユニット１と主面部２０ａとの間に位置し、且つ係合部２５の一部分が表示ユニット１の特にタッチパネルフレキ５の投影面に重なる。【選択図】図１０
2013246197.tif 000002
【特許請求の範囲】
【請求項１】
４つの辺部を有する略矩形形状に構成される表示ユニットと、
前記表示ユニットに対向する主面部を有する略矩形形状のメインホルダと該メインホルダに固定されるサブホルダとからなり、前記表示ユニットを保持するホルダユニットとを有し、
前記サブホルダは、前記主面部に垂直な方向に延設される第１の壁部と、前記第１の壁部に連接し前記主面部及び前記第１の壁部の双方に垂直な方向に延設される第２の壁部と、前記第２の壁部から前記主面部に平行な方向に折り曲げ形成され前記主面部に対向する主面対向部とを有し、前記主面対向部には、前記表示ユニットの前記４つの辺部のうち第１の辺部に設けられた爪部が係合する係合部が形成され、
前記係合部は、前記主面部に垂直な方向における前記表示ユニットと前記主面部との間に位置し、且つ、前記係合部の少なくとも一部分が、前記主面部に垂直な方向における前記表示ユニットの投影面に重なることを特徴とする電子機器。
【請求項２】
前記表示ユニットの前記第１の辺部の外縁の少なくとも一部は前記表示ユニットが有するフレキシブル基板により構成され、前記係合部の前記少なくとも一部分は、前記主面部に垂直な方向における前記フレキシブル基板の投影面に重なることを特徴とする請求項１記載の電子機器。
【請求項３】
前記第１の壁部、前記第２の壁部及び前記主面対向部は各々、前記メインホルダに固着されることを特徴とする請求項１または２記載の電子機器。
【請求項４】
前記サブホルダの前記主面対向部に連接して形成されて前記主面部から前記表示ユニットの側に浮いた部分が前記係合部となっていることを特徴とする請求項１〜３のいずれか１項に記載の電子機器。
【請求項５】
前記サブホルダは、前記メインホルダの最も厚い部分よりも薄い板金材料で一体的に形成されることを特徴とする請求項１〜４のいずれか１項に記載の電子機器。
【発明の詳細な説明】
【技術分野】
【０００１】
本発明は、撮像装置等の表示ユニットを備える電子機器に関する。
【背景技術】
【０００２】
従来、撮像装置等のように、画像を表示可能な液晶ディスプレイパネルや有機ＥＬディスプレイパネル等の表示ユニットを備える電子機器が各種存在する。この種の電子機器における表示ユニットの保持構造として、特許文献１に記載されるようなものが知られている。
【０００３】
特許文献１には、タッチパネル装置を備えた表示ユニットに関する保持構造が示されている。すなわち、平面表示パネルの４つの辺部である側面部をホルダの側面部で囲み、且つ弾性片で平面表示パネルをホルダの側面部側に付勢して位置決めしている。
【先行技術文献】
【特許文献】
【０００４】
【特許文献１】特開２００９−３１６８５号公報
【発明の概要】
【発明が解決しようとする課題】
【０００５】
しかしながら、表示ユニットの側部からフレキシブル基板等が引き出され、フレキシブル基板等が外縁部の一部を構成するような場合は、特許文献１のような構成の採用が困難であり、採用したとしても小型化の妨げとなってしまう。
【０００６】
また、特許文献１は表示ユニットを面方向に規制する構成を示すが、厚み方向に保持するための構造についても検討する必要がある。すなわち、表示ユニットの厚み方向における保持構造に関しても、強度及び精度を高く維持し、且つ省スペース化を図る構造であることが望まれる。
【０００７】
本発明は上記従来技術の問題を解決するためになされたものであり、その目的は、表示ユニットを高い強度及び精度で保持すると共に、省スペース化を図ることができる電子機器を提供することにある。
【課題を解決するための手段】
【０００８】
上記目的を達成するために本発明の電子機器は、４つの辺部を有する略矩形形状に構成される表示ユニットと、前記表示ユニットに対向する主面部を有する略矩形形状のメインホルダと該メインホルダに固定されるサブホルダとからなり、前記表示ユニットを保持するホルダユニットとを有し、前記サブホルダは、前記主面部に垂直な方向に延設される第１の壁部と、前記第１の壁部に連接し前記主面部及び前記第１の壁部の双方に垂直な方向に延設される第２の壁部と、前記第２の壁部から前記主面部に平行な方向に折り曲げ形成され前記主面部に対向する主面対向部とを有し、前記主面対向部には、前記表示ユニットの前記４つの辺部のうち第１の辺部に設けられた爪部が係合する係合部が形成され、前記係合部は、前記主面部に垂直な方向における前記表示ユニットと前記主面部との間に位置し、且つ、前記係合部の少なくとも一部分が、前記主面部に垂直な方向における前記表示ユニットの投影面に重なることを特徴とする。
【発明の効果】
【０００９】
本発明によれば、表示ユニットを高い強度及び精度で保持すると共に、省スペース化を図ることができる。
【図面の簡単な説明】
【００１０】
【図１】本実施の形態における撮像装置の分解斜視図である。
【図２】表示ユニットの斜視図、背面図である。
【図３】表示ユニットの正面図である。
【図４】ホルダユニットの斜視図、サブホルダの斜視図である。
【図５】図４（ａ）のＡ部、Ｂ部の詳細図である。
【図６】図４（ａ）のＣ部、Ｄ部の詳細図である。
【図７】ホルダユニットの背面図、表示ユニットをホルダユニットに組みつけた状態を示す背面図である。
【図８】表示ユニットをホルダユニットに組みつけた状態を示す正面図、爪部と係合部との係合状態を示す拡大斜視図である。
【図９】爪部と係合部との係合状態を示す拡大斜視図である。
【図１０】爪部と係合部との係合状態を示す拡大斜視図、下面図である。
【図１１】ホルダユニットの下側の辺部に立壁部を形成する場合の模式的な断面図である。
【発明を実施するための形態】
【００１１】
以下、本発明の実施の形態を図面を参照して説明する。
【００１２】
本実施の形態に係る電子機器の一例として撮像装置を例示するが、表示ユニットを有する電子機器であれば撮像装置に限定されない。
【００１３】
図１は、本実施の形態における撮像装置３６の分解斜視図である。
【００１４】
撮像装置３６は、主にフロントカバー１５、本体構造体１６、表示ユニット１、リアカバー１３からなる。表示ユニット１は、ＬＣＤフレキシブル基板１１（以下、ＬＣＤフレキ１１）及びタッチパネルフレキシブル基板５（以下、タッチパネルフレキ５）を有する。リアカバー１３にはパネル用開口部１４が形成される。本体構造体１６は、ホルダユニット１７を保持する。本体構造体１６にはメイン基板１２１が配設される。メイン基板１２１には、コネクタ１９及びコネクタ１８が配設される。コネクタ１９はＬＣＤフレキ１１に対応し、コネクタ１８はタッチパネルフレキ５に対応する。
【００１５】
以降、撮像装置３６及び構成部品の方向については、組み付け後の方向で呼称する。具体的には、フロントカバー１５、リアカバー１３がある側がそれぞれ前側、背面側である。表示ユニット１、ホルダユニット１７はそれぞれ、４つの辺部を有する略矩形形状に構成される。表示ユニット１の４つの辺部のうちの第１の辺部である底辺部１ａ（図２（ｂ）も参照）がある側を下側、ＬＣＤフレキ１１及びタッチパネルフレキ５の接続端子が延出する側が右側とする。また、左右、上下、前後の方向をＸ，Ｙ，Ｚ方向で示す。各々の向きを区別するときは、右方、上方、後方を＋Ｘ方向、＋Ｙ方向、＋Ｚ方向、左方、下方、前方を−Ｘ方向、−Ｙ方向、−Ｚ方向と記す。
【００１６】
図２（ａ）、（ｂ）は、表示ユニット１の斜視図、背面図である。
【００１７】
表示ユニット１については、長手方向がＸ方向、短手方向がＹ方向、表示ユニット１の面に垂直な方向（厚み方向）がＺ方向となる。表示ユニット１は、前側から順に、バックライトユニット２、ＬＣＤユニット（不図示）、タッチパネルユニット（不図示）、保護ガラス３が積層された構成であり、これらが接着によって一体化されたユニットである。これらの層構成の詳細は本発明と直接関係がないため説明を割愛する。
【００１８】
保護ガラス３は、バックライトユニット２よりもＸＹ寸法で小さく形成されている。これは、バックライトユニット２上に保護ガラス３を囲むようにクッション４を貼りつけるためである。表示ユニット１の底辺部１ａに対応する保護ガラス３の下側の辺部は、タッチパネルユニットから引き出されたタッチパネルフレキ５によって覆われている。このため、クッション４はタッチパネルフレキ５を避け、背面視でコ字形状を呈している。このコの字形のクッション４の役割は主なガタ取りと遮光であるが、詳細は後述する。
【００１９】
図３は、表示ユニット１の正面図である。
【００２０】
バックライトユニット２は、板金材料で形成されるバックライトホルダ１０により保持される。バックライトホルダ１０が、表示ユニット１の外縁部（最外郭）のほとんどを構成する。バックライトホルダ１０には、その一部を切り欠く形で爪部６、爪部７、爪部８、爪部９が形成される。詳細は後述するが、爪部６〜９は、表示ユニット１がホルダユニット１７に保持されるための部位である。爪部６、爪部７、爪部８、爪部９は、それぞれ、表示ユニット１の面方向において＋Ｘ方向、＋Ｙ方向、−Ｘ方向、−Ｙ方向に延びている。
【００２１】
表示ユニット１の底辺部１ａからは、タッチパネルフレキ５以外に、ＬＣＤフレキ１１、バックライトフレキシブル基板１２（以下、バックライトフレキ１２）が引き出されている。これらのフレキシブル基板はいずれも、バックライトホルダ１０の前面に対向するよう＋Ｙ方向に折り返されている。
【００２２】
Ｚ方向から見て表示ユニット１は略長方形であるが、底辺部１ａの外縁の多くの部分はタッチパネルフレキ５の折り曲げ部により構成されている。
【００２３】
表示ユニット１は、爪部６、爪部７、爪部８、爪部９が、ホルダユニット１７に設けられる係合部２２、２３、２４、２５（図４（ａ）等で後述）に係合することで、ホルダユニット１７に保持される。表示ユニット１がホルダユニット１７に対して取り付いているとき、爪部６、爪部７、爪部８、爪部９と係合部２２、２３、２４、２５との間にＺ方向において０．１ｍｍ以下の設計的な微小なガタが生じるようになっている。
【００２４】
また、ＸＹ方向に対しては、表示ユニット１がホルダユニット１７に対して０．５ｍｍ以下の移動ができる余地を残したフローティング構造を採用している。表示ユニット１のＸＹ方向の位置決めは、リアカバー１３に設けられたパネル用開口部１４に保護ガラス３が嵌り込むことで決まる。その際、コ字型のクッション４がリアカバー１３によってＺ方向に圧縮されることで、遮光材としての役割を果たす。これにより、例えば表示ユニット１から発せられる光が、保護ガラス３とパネル用開口部１４との隙間から漏れることによる品位の低下が防がれる。
【００２５】
なお、表示ユニット１の底辺部１ａは、遮光材であるクッション４が存在しない領域であるが、その代わり、底辺部１ａの外縁を広範囲に構成するタッチパネルフレキ５が、遮光材としての役割を果たす。
【００２６】
さらに、表示ユニット１がクッション４を介してリアカバー１３によって押さえられることで、クッション４は、Ｚ方向における０．１ｍｍ以下の設計的な微小なガタを吸収し、表示ユニット１をＺ方向において正確に位置決めする役割を果たす。
【００２７】
ところで、クッション４は、タッチパネルフレキ５との干渉を回避するために、表示ユニット１の底辺部１ａを押さえることができず、クッション４は残りの３つ辺部を押さえることになる。ここで、表示ユニット１がホルダユニット１７に取り付いているとき、Ｚ方向にかかる反力が全周で略一定であれば、クッション４によって３つ辺部を押さえることで表示ユニット１の平面度を保つことは可能である。
【００２８】
しかし、上述したように、底辺部１ａからは、タッチパネルフレキ５以外にＬＣＤフレキ１１やバックライトフレキ１２も引き出されおり、これらのフレキは折り返されている。そのため、表示ユニット１に対してＺ方向にかかる反力はこれらのフレキのコシ（弾性）によって底辺部１ａ側で大きくなってしまう。
【００２９】
そこで、表示ユニット１がホルダユニット１７から外れることなく確実に保持されるために、ホルダユニット１７に係合する爪部は、底辺部１ａにおいては必ず必要となる。
【００３０】
ところで、爪部６〜９と係合する係合部を構成するに際し、ホルダユニット１７の外縁に設けた立壁部に係合部を形成する構成が考えられる。表示ユニット１の４つの辺部のうち底辺部１ａを除いては、フレキがないかフレキを避けた位置に係合部を形成することで、ＸＹ方向への大型化は避けられる。本実施の形態では、係合部２２、２３、２４は立壁部に形成される（図４等で後述）。
【００３１】
ところが、底辺部１ａにおいては、タッチパネルフレキ５がＸ方向に長く延在する。そのため、底辺部１ａに対応するホルダユニット１７の下側の辺部に立壁部を設け、そこに係合部を形成するとした場合は、タッチパネルフレキ５との干渉を避けるように立壁部を設けることになる。すると、ホルダユニット１７を−Ｙ方向に大きく設計する必要が生じ、Ｙ方向に関して小型化の妨げとなってしまう。このことを、図１１でさらに説明する。
【００３２】
図１１は、ホルダユニット１７の下側の辺部に立壁部を形成する場合の模式的な断面図である。図１１に示す構成は本実施の形態では採用しない。
【００３３】
図１１に示すように、表示ユニット１の下端位置をタッチパネルフレキ５が決めている場合、ホルダユニット１７の下側の辺部に設ける立壁部３８は、タッチパネルフレキ５よりも下方において立ち上げるべく、−Ｙ方向に大きく広げる必要がある。しかしこれは、撮像装置の上下方向における小型化の妨げとなる。
【００３４】
小型化するためには、Ｚ方向でタッチパネルフレキ５に干渉しないように、スペース３７を利用して表示ユニット１の下端位置を保持するのがよい。ところが、ホルダユニット１７は強度の高い部材であり、板厚の厚いもので構成する必要がある。そのためスペース３７を利用して立壁部を構成し、その立壁部に、爪部９と係合するための係合部を形成することは、加工上困難であり高い精度も期待できない。すなわち、表示ユニット１を高い強度及び精度で保持することと省スペース化を図ることとの両立は容易でない。
【００３５】
そこで本実施の形態では、詳細は後述するが、小型化のために、表示ユニット１の底辺部１ａについては、爪部９と係合する係合部２５を、底辺部１ａ（特にタッチパネルフレキ５）よりも−Ｙ方向に過大に突出しない範囲で設ける。また、強度及び精度を維持するために、ホルダユニット１７を、強度部材であるメインホルダ２０の他に、別部材のサブホルダ２１によって構成し、係合部２５をサブホルダ２１に形成する。
【００３６】
すなわち、スペース３７に相当する領域に係合部２５を設け、係合部２５が、タッチパネルフレキ５とＸＹ平面上ではオーバーラップし、Ｚ方向で干渉しないようにする。係合部２５は、表示ユニット１の底辺部１ａとは、Ｚ方向から見ると重なるが、Ｘ、Ｙ方向から見ると重ならない。
【００３７】
図４（ａ）、（ｂ）は、ホルダユニット１７の斜視図、サブホルダ２１の斜視図である。ホルダユニット１７は、いずれも金属製のメインホルダ２０とサブホルダ２１とが固定されてなる。メインホルダ２０の＋Ｚ方向の面（背面）は、表示ユニット１を保持するときに表示ユニット１の前面に対向する主面部２０ａである。
【００３８】
図４（ｂ）に示すように、サブホルダ２１は板金材料で一体的に形成され、第１の壁部２９、第２の壁部３０、主面対向部３１を有する。サブホルダ２１がメインホルダ２０に固定された状態では、第１の壁部２９は、Ｚ方向（メインホルダ２０の主面部２０ａに垂直な方向）及びＹ方向に平行に延設される。第２の壁部３０は、第１の壁部２９に連接し、第１の壁部２９及び主面部２０ａの双方に垂直な方向（ＸＺ方向）に延設される。
【００３９】
図５（ａ）、（ｂ）、図６（ａ）、（ｂ）は、それぞれ図４（ａ）のＡ部、Ｂ部、Ｃ部、Ｄ部の詳細図である。図７（ａ）は、ホルダユニット１７の背面図である。
【００４０】
図４（ｂ）、図６（ｂ）、図７（ａ）に示すように、第２の壁部３０には、主面部２０ａに平行な方向に折り曲げ形成されて主面部２０ａに対向当接する主面対向部３１が連接して設けられる。主面対向部３１に連接して、＋Ｘ方向の側に係合部２５が形成される。係合部２５は、主面対向部３１よりも＋Ｚ方向に偏倚し、表示ユニット１の側に浮いた部分である。このように、爪部９と係合する係合部２５は、Ｚ方向に対して最も精度を必要とするため、主面対向部３１から連続して立ち曲げによって形成されている。
【００４１】
図６（ａ）、図７（ａ）に示すように、メインホルダ２０の−Ｘ方向の辺部、−Ｙ方向の辺部には、それぞれ立壁部２０ｂ、２０ｃが形成されている。サブホルダ２１をメインホルダ２０に組み込んだ状態で、サブホルダ２１の第１の壁部２９、第２の壁部３０は、それぞれ、メインホルダ２０の立壁部２０ｂ、２０ｃに対して内側から対向当接し、溶接により固着される。
【００４２】
まず、図４（ａ）、（ｂ）、図６（ａ）に示すように、第１の壁部２９は、立壁部２０ｂに対して溶接部２６で固定される。第２の壁部３０は、立壁部２０ｃに対して溶接部２７で固定される。さらに、図４（ｂ）、図７（ａ）に示すように、主面対向部３１は、主面部２０ａに対して溶接部２８で固定される。溶接部２６、２７は複数個所である。溶接部２８も複数個所としてもよい。
【００４３】
このように、サブホルダ２１はＸ、Ｙ、Ｚの方向にそれぞれ垂直な第１の壁部２９、第２の壁部３０、主面対向部３１を有し、それぞれに溶接部を設けて固着箇所を分散させている。従って、省スペースでありながらサブホルダ２１の位置出しが行い易く、固定強度も十分に確保される構成となっている。
【００４４】
メインホルダ２０の＋Ｘ方向の辺部に立ち上げ形成された立壁部の一部に、鉤型の係合部２２が形成される（図４（ａ）、図５（ａ）、図７（ａ））。また、メインホルダ２０の＋Ｙ方向の辺部に立ち上げ形成された立壁部の一部に、鉤型の係合部２３が形成される（図４（ａ）、図５（ｂ）、図７（ａ））。
【００４５】
爪部８が係合する係合部２４は、第１の壁部２９で形成される。すなわち、図６（ａ）に示すように、メインホルダ２０にサブホルダ２１が固定された状態で、第１の壁部２９とメインホルダ２０との間に、点線２４Ａで示される範囲において隙間が形成される。この隙間が係合部２４となる。
【００４６】
ところで、メインホルダ２０は強度が求められるため、ある程度の厚みが確保されている。サブホルダ２１は、メインホルダ２０よりも薄い板金材料で一体的に形成され、サブホルダ２１の一様な厚みは、メインホルダ２０の最も厚い部分よりも薄い。係合部２５は、薄い板金材料で形成されるサブホルダ２１で構成されることで、省スペースに寄与する。そのため、表示ユニット１の底辺部１ａを覆うタッチパネルフレキ５をＺ方向に避ける形で係合部２５を配置することが容易である。さらには、サブホルダ２１は、メインホルダ２０とは別部材で且つ薄いため、加工が容易であり、係合部２５を高精度に形成しやすい。
【００４７】
図７（ｂ）、図８（ａ）は、表示ユニット１をホルダユニット１７に組みつけた状態を示す背面図、正面図である。
【００４８】
第１の壁部２９、第２の壁部３０、主面対向部３１は、それぞれＸ、Ｙ、Ｚの方向に垂直であるので、サブホルダ２１は、薄くても全体として各方向における曲げ剛性が高い。また、第１の壁部２９、第２の壁部３０、主面対向部３１は、各々がホルダユニット１７に対して溶接されるので強度が高い。特に、主面対向部３１を固着する溶接部２８は係合部２５に近接しているため、係合部２５の剛性が高いだけでなく、係合部２５のＺ方向における位置精度を高くすることが容易である。
【００４９】
図７（ｂ）に示す係合箇所３２、３３、３４、３５にて、表示ユニット１の爪部６、７、８、９がホルダユニット１７の係合部２２、２３、２４、２５に係合することで、表示ユニット１がホルダユニット１７に保持される。次に、表示ユニット１のホルダユニット１７への組み付け手順を説明する。
【００５０】
図８（ｂ）は、爪部６と係合部２２との係合状態を示す拡大斜視図である。図９（ａ）は、爪部７と係合部２３との係合状態を示す拡大斜視図である。図９（ｂ）は、爪部８と係合部２４との係合状態を示す拡大斜視図である。図１０（ａ）、（ｂ）は、爪部９と係合部２５との係合状態を示す拡大斜視図、下面図である。
【００５１】
表示ユニット１をホルダユニット１７に組みつけるに当たって、サブホルダ２１とメインホルダ２０とは予め、溶接部２６、２７、２８での溶接により固定しておく。まず、表示ユニット１をメインホルダ２０の主面部２０ａの背面側から対向させる。そしてＬＣＤフレキ１１とタッチパネルフレキ５とを、図１に示すメイン基板１２１に配設されたコネクタ１９とコネクタ１８とに接続する。その後、爪部６を係合部２２に挿入し係合させる（図８（ｂ））。
【００５２】
爪部６を係合部２２に挿入し係合させたら、表示ユニット１をホルダユニット１７内で＋Ｘ方向且つ−Ｙ方向に最大限まで寄せる。このとき、爪部７は、Ｙ方向において係合部２３から０．１ｍｍ程度のクリアランスを持って係合せず、爪部８、９は、Ｘ方向において係合部２４、２５から０．１ｍｍ程度のクリアランスを持って係合しない状態となる。このように、各爪部７〜９の長さや位置が設定されている。
【００５３】
次に、表示ユニット１を＋Ｙ方向にスライドさせる。それにより、爪部７が係合部２３に係合する（図９（ａ））。次に、表示ユニット１を−Ｘ方向にスライドさせる。それにより、爪部８、９が係合部２４、２５に係合する（図９（ｂ）、図１０（ａ）、（ｂ））。
【００５４】
ここで、係合部２５は、Ｚ方向における表示ユニット１と主面部２０ａとの間に位置する（図１０（ａ）、（ｂ））。しかも、係合部２５の一部分が、Ｚ方向における表示ユニット１の投影面に重なる（図７（ｂ））。具体的には、図７（ｂ）に示すように、係合部２５は、表示ユニット１のうち、底辺部１ａの外縁の一部を構成するタッチパネルフレキ５の投影面に重なる。
【００５５】
これにより、係合部２５の配置位置を極力Ｙ方向における内側に設定できるので、タッチパネルフレキ５が突出する側の底辺部１ａにおける係合部２５の突き出し量を抑えることができる。従って、底辺部１ａの浮き上がりを防止する上で、Ｙ方向における省スペース化を図ることができる。なお、Ｚ方向における表示ユニット１（タッチパネルフレキ５を含む）との重なりは、係合部２５の一部でなく全部であってもよい。
【００５６】
ところで、組み付け後の表示ユニット１において、爪部８と係合部２４、爪部９と係合部２５との係合は、表示ユニット１が＋Ｘ方向に最大限スライド移動してはじめて外れる。ところが、タッチパネルフレキ５及びＬＣＤフレキ１１の２枚のフレキがコネクタ１８、１９に固定されているため、これらフレキの弾性による反発力で、表示ユニット１は常に−Ｘ方向に付勢されている。そのため、通常状態では爪部８、９と係合部２４、２５との係合が解除されるほどに表示ユニット１が変位することはなく、外れる心配はない。
【００５７】
本実施の形態によれば、ホルダユニット１７をメインホルダ２０とサブホルダ２１とで構成し、サブホルダ２１には、互いに垂直な第１の壁部２９、第２の壁部３０を設け、第２の壁部３０に連接する主面対向部３１に係合部２５を形成した。そして、Ｚ方向において、係合部２５は表示ユニット１と主面部２０ａとの間に位置し、且つ係合部２５の一部分が表示ユニット１の特にタッチパネルフレキ５の投影面に重なる。
【００５８】
これにより、表示ユニット１を高い強度及び精度で保持すると共に、省スペース化を図ることができる。
【００５９】
なお、Ｙ方向の省スペース化の観点からは、Ｚ方向の投影面で係合部２５に重なる対象は、フレキを含む表示ユニット１の一部分であればよい。
【００６０】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００６１】
１  表示ユニット
９  爪部
１７  ホルダユニット
２０  メインホルダ
２０ａ  主面部
２１  サブホルダ
２５  係合部
２９  第１の壁部
３０  第２の壁部
３１  主面対向部
【図１】
2013246197.tif 000003
【図２】
2013246197.tif 000004
【図３】
2013246197.tif 000005
【図４】
2013246197.tif 000006
【図５】
2013246197.tif 000007
【図６】
2013246197.tif 000008
【図７】
2013246197.tif 000009
【図８】
2013246197.tif 000010
【図９】
2013246197.tif 000011
【図１０】
2013246197.tif 000012
【図１１】
2013246197.tif 000013